(57)【要約】      （修正有）【課題】それぞれ移動自在な複数枚のガラス板で構成した間仕切り壁の所望のいずれか一部または全部を開閉自在とすることができ、ガラス板の縦側辺をフレームレスとしてガラス板の開口面積を大きくしてガラス板の持つ透明感を最大限に引き出し、さらに、ガラスパネル間の隙間からの音の侵入を防ぎ、ガラスパネルの移動時にガラスパネル同士の衝突による破損を防止する。【解決手段】室内の天井部に固着したレール３に沿って走行自在な吊下金具６より垂下する吊下ボルト７に支持金具１０を固定し、該支持金具１０でガラスパネル２の上端を締付固定して金属フレームレスのガラスパネル２を吊下げ支持する移動式間仕切り壁において、隣接するガラスパネル２の縦辺端面の召合せ部の上下全長にわたって遮音用のゴム部材４を貼着し、ガラスパネルを閉状態にした時に前記ゴム部材同士を圧縮または密着状態にした。【選択図】図１
2006028809.tif 000002
【特許請求の範囲】
【請求項１】
室内の天井部に固着したレールに沿って走行自在な吊下金具より垂下する吊下ボルトに支持金具を固定し、該支持金具でガラスパネルの上端を締付固定して金属フレームレスのガラスパネルを吊下げ支持する移動式間仕切り壁において、隣接するガラスパネルの縦辺端面の召合せ部の上下全長にわたって遮音用のゴム部材を貼着し、ガラスパネルを閉状態にした時に前記ゴム部材同士を圧縮または密着状態にしたことを特徴とする移動式間仕切り壁。
【請求項２】
互いに隣接するガラスパネルの縦端面の召し合わせ部の板厚中間部に縦方向に上下全長にわたって凹溝部を設け、該凹溝部と嵌合する形状を有したゴム部材を、ガラスパネルの縦辺端面の縦方向に上下全長にわたって貼着したことを特徴とする請求項１に記載の移動式間仕切り壁。
【請求項３】
ガラスパネルの縦側端面に接着した前記ゴム部材の一方の断面形状を凸円弧状とし、隣接するガラスパネルの対向する縦側端面に接着したゴム部材の断面形状を凸円弧状として互いに密着させる、または一方を凸円弧状、他方を凹円弧状として嵌合させるようにしたことを特徴とする請求項１または２に記載の移動式間仕切り壁。
【発明の詳細な説明】
【技術分野】
【０００１】
本発明は、建物の室内空間の間仕切り壁、パーティションを移動自在とした移動式間仕切り壁に関し、特に、間仕切り壁をガラスパネルとしたものに関する。
【背景技術】
【０００２】
従来より、建物内のオフィス、集会所、宴会場、講堂、会議室等の室内空間をパーティションボード等の間仕切り壁によって間仕切りし、プライバシーを確保すると共に、騒音を遮断できる機能的な快適空間を確保してきた。
【０００３】
さらに、使用目的の変化に対応した大きさの室内空間スペースに容易に変更できるように、間仕切り用のパーティションボードをスライド移動可能にして隅部位置に収納可能にして、複数の小空間を1つの大空間として使用できるようにしたものも普及している。
【０００４】
このような移動式パーティションの一例として、例えば、特開２００２−３８６３９号公報には、室内空間を間仕切る為の間仕切り壁であって、キャスターを底面に備える化粧板の下部に昇降装置を配設し、上部にバネを介装した幕板を配設した二体の可動式間仕切壁を上下方向に摺動可能かつ回動可能とする連結具により連結して、一体型可動式間仕切壁とし、昇降装置の下面及び幕板の上面にゴムまたは軟質樹脂からなる天井面ノンスリップ材、及び床面ノンスリップ材を貼設した間仕切り壁が開示されている（特許文献１）。
【０００５】
また、間仕切り壁をガラス板で構成した移動式パーティションの例として、特開２００３−１８４４１０号公報には、天井部内に固着して形成された軌道台と、所定間隔を隔てて配列された複数のボールを介して軌道台に摺動自在に組み付けられ、各ボールが循環可能な無限循環炉を有する摺動台と摺動台に保持手段を介して天井部より下部に取り付けられたドア部とを備えた可動式間仕切りシステムが開示されている（特許文献２）。
【０００６】
さらに、特表２００３−５１７１２１号公報には、すべての壁エレメントを総ガラス張りのエレメントとしたスライド式仕切壁であって、側方に摺動可能であって移動ローラによって吊下げ成形材（１４）に沿ってスライドレールでガイドされる複数の壁エレメント（１２／１から１２／ｎ）を備えており、少なくとも１つの壁エレメント（１２／２）が閉扉装置（３０）を介して操作可能なドアエレメントとして形成されており、この場合、閉扉装置（３０）とドアエレメントとして利用される壁エレメントとの間に自動的に連結もしくは連結解除するスライドレールロッドが対応配置されており、ドアエレメントが、壁エレメントのスライド時、スライド位置に保持されるスライド式仕切り壁が記載されている（特許文献３）。
【特許文献１】特開２００２−３８６３９号公報
【特許文献２】特開２００３−１８４４１０号公報
【特許文献３】特表２００３−５１７１２１号公報
【発明の開示】
【発明が解決しようとする課題】
【０００７】
特許文献１に記載の間仕切り壁は、間仕切り壁がグラスウール等の吸音材を、二枚の木製又は石膏ボード等の化粧板で挟むようにした構成からなる一般的なパーティションに関するものであって、透明なガラス板で構成したものではない。
【０００８】
一方、特許文献２に記載の可動式間仕切りシステムについては、間仕切り壁として透明なガラス板を用いたものであるが、該ガラス板の四辺全周囲をアルミニウムの金属フレームで補強し取り囲むようにして構成したスライドドアであり、該金属フレームによって吊下げ支持するもので、間仕切り壁の縦辺をフレームレスとするガラスパネルではない。さらに、特許文献２のものは、間仕切りの一部分だけを開閉可能とするものであって、間仕切り部分全体を開閉できるものではない。
【０００９】
また、特許文献３に記載のスライド式仕切り壁については、すべての壁エレメントを総ガラス張りのエレメントとした移動式のパーティションであり、仕切り壁をガラスパネルとし、該ガラスパネルの縦辺を金属フレームレスとしてガラス部分の面積を最大限にし、透視性を高めたものであるが、ガラスパネル間に隙間があるので、間仕切りされた隣室からの人の話し声や物音等が騒音として該隙間を通して侵入するという不具合があった。
【課題を解決するための手段】
【００１０】
本発明は、上記問題点の解決を図る、すなわち、それぞれ移動自在な複数枚のガラス板で構成した間仕切り壁の所望のいずれか一部または全部を開閉自在とすることができ、ガラス板の縦側辺をフレームレスとしてガラス板の開口面積を大きくしてガラス板の持つ透明感を最大限に引き出し、さらに、ガラスパネル間の隙間からの音の侵入を防ぎ、ガラスパネルの移動時にガラスパネル同士の衝突による破損も防止できることを目的とする。
【００１１】
すなわち、本発明は、  室内の天井部に固着したレールに沿って走行自在な吊下金具より垂下する吊下ボルトに支持金具を固定し、該支持金具でガラスパネルの上端を締付固定して金属フレームレスのガラスパネルを吊下げ支持する移動式間仕切り壁において、隣接するガラスパネルの縦辺端面の召合せ部の上下全長にわたって遮音用のゴム部材を貼着し、ガラスパネルを閉状態にした時に前記ゴム部材同士を圧縮または密着状態にしたことを特徴とする移動式間仕切り壁である。
【００１２】
あるいは、本発明は、互いに隣接するガラスパネルの縦端面の召し合わせ部の板厚中間部に縦方向に上下全長にわたって凹溝部を設け、該凹溝部と嵌合する形状を有したゴム部材を、ガラスパネルの縦辺端面の縦方向に上下全長にわたって貼着したことを特徴とする上述の移動式間仕切り壁である。
【００１３】
あるいはまた、本発明は、ガラスパネルの縦側端面に接着した前記ゴム部材の一方の断面形状を凸円弧状とし、隣接するガラスパネルの対向する縦側端面に接着したゴム部材の断面形状を凸円弧状として互いに密着させる、または一方を凸円弧状、他方を凹円弧状として嵌合させるようにしたことを特徴とする上述の移動式間仕切り壁である。
【発明の効果】
【００１４】
本発明により、各ガラスパネルの左右の縦端面の召し合せ部にゴム部材を接着したので、ガラスパネルを間仕切りとして並べた時に、ガラスパネルの召し合せ部間の隙間をゴム部材同士の当接で塞ぐことができ、間仕切りした各空間相互の話し声等の騒音が隙間から洩れて侵入するのを防止できる。
【００１５】
また、ガラスパネル同士を間仕切りとして、並べる時に、ガラスパネル同士の接触による破損も無く、また開閉時に手を挟んだりしても、召し合せ部のゴム部材がクッション材となってケガの発生防止となる。
【００１６】
また、それぞれ移動自在な複数枚のガラス板で構成した間仕切り壁のそれぞれを独立して移動できるので、所望のいずれか一部または全部をオープン状態とすることができる。
【００１７】
さらにまた、ガラス板の縦側辺をフレームレスとし、かつガラス板の上辺に設ける金属製のフレーム部または支持金具部分を最小限の大きさとして、ガラスパネルの最上端辺をレール部近傍まで大きく取れるようにし、ガラス面積を最大限に広く取り、透明なガラス板による解放感、透明感を得ることができる。
【発明を実施するための最良の形態】
【００１８】
図１、図２に示すように、建物の室内の間仕切り壁を設置する部分の天井に間仕切り壁の移動用のレール３と、該レール３の片端部近傍に前記間仕切り壁を収納するためのレール３を室内の収納スペースに配設した。
【００１９】
前記レール３に沿って摺動かつ走行自在な吊下金具６より吊下ボルト７がレール３のスリット部より垂下し、該吊下ボルト７の下端で支持金具１０が図示しない固定ボルトによって固定されている。
【００２０】
前記支持金具１０は、各ガラスパネル２の上端隅部近傍の２箇所に設けた穿孔部を締付固定し、ガラスパネル２を吊下げによって支持するものであり、各ガラスパネル２、２、・・は、図１、図２に示したように同一レール３上を移動する。
【００２１】
また、図１に示されるように、1枚のガラスパネルの上辺の左右２個所に配置した支持金具１０のガラスパネルの片面側に配置した２つの締付部材１１、１１の上端部同士を連結プレート２０で接続した。
【００２２】
また、図３に示すように、ガラスパネル２、２同士の互いに隣接する突合せ端面の召し合わせ部にそれぞれの断面形状が四角形形状、凸円弧形状、あるいは凸円弧状と凹円弧状の組み合わせのゴム部材４、４を接着剤によってガラスパネルの縦端辺全長にわたって貼着した。
【００２３】
この場合、隣接するガラスパネル２、２の突合せ端面に貼着するゴム部材４、４’は、それぞれが圧縮により僅かでも変形する程度に互いに押圧し、密着できる状態とすると良い。
【００２４】
好ましくは、図４に示すように、ガラスパネル２は、互いに隣接する縦辺の端面の板厚中間部に縦方向に上下全長にわたって板厚の１／２程度の幅の凹溝部２ｃを設け、該凹溝部２ｃに嵌合する断面凸部形状を有したゴム部材４をガラスパネルの縦端辺全長にわたって貼着した。
【００２５】
例えば、ガラスパネル２の板厚が１２ｍｍであれば、前記凹溝部２ｃの幅は、板厚中心部位置に幅５、６ｍｍ前後、深さ３ｍｍ前後とした。このように、ガラスパネル２の縦側端面に設けた凹溝部２ｃにゴム部材４を嵌合するようにして接着したので、凹溝部を持たない図３の場合に較べて接着力をより強固とすることができ、召合せ部のゴム部材４が弛んだり、接着外れや、またゴム部材４の脱落も無い。
【００２６】
前記ガラスパネル２の縦辺端面の召し合わせ部に接着したゴム部材４は、隣接するガラスパネル２の縦辺端面に同様に接着したゴム部材４と密着させ、隣接するガラスパネル２、２間の隙間をゴム部材４、４’同士で塞ぐことができる。
【００２７】
ガラスパネル２の縦側端辺に接着したゴム部材４の形状と、隣接するガラスパネル２の縦側端面に接着したゴム部材４’の形状とは、両方とも断面形状を凸円弧状とするか、あるいは一方の断面形状を凸円弧状、他方の断面形状を凹円弧状として、互いに密着させる、または嵌合させるようにするのが好ましい。
【００２８】
また、図５に示したように、召合せ部のゴム部材４、４’の内部を中空にすると、ガラスパネル２、２同士を間仕切りとして配設する時に、ガラスパネル２、２同士を密着するように押し付けたときにゴム部材４、４’が圧縮により変形しやすくなり、より密着させることができ、都合がよい。
【００２９】
尚、ゴム部材４、４’の互いに当接する部分の形状が、互いに嵌合するような図４に示すような凹円弧状と凸円弧状の形状の場合には、ゴム４、４’は変形量が少なくとも密着できるので、ゴム部材４の圧縮率は低くても良い。
【００３０】
一方、ゴム部材４、４’の当接部分の形状が、図５に示すような凸円弧状の形状同士の場合には、圧縮量を数％以上として密着度を大きくするのが望ましい。
【００３１】
さらに、ガラスパネル２をスライド移動させ、間仕切りとしてガラスパネル２、２同士を密着させるように配設する時に、ゴム部材４、４’が緩衝材となって、ガラスパネル２、２同士の接触によるエッジ部分に欠け等を発生させる等の悪影響を与えることがない。
【００３２】
前記ガラスパネル２は、天井部のレール３より宙吊り状態であるので、間仕切りをした閉状態では床面に固定することが必要である。さらに、前記ゴム部材４，４’を僅かでも圧縮変形させるために、ガラスパネル２、２同士を僅かに押圧状態にして、ガラスパネル２と床面とを固定させる。
【００３３】
ガラスパネル２と床面との固定については、図示しない圧接機構等により金属製の下部フレーム８内に設けた昇降自在な押圧部材（図示しない）を所望の位置で、床面に押し付けて容易に固定させれば良い。
【００３４】
また、レール３の両端部側のパネル２、２については、例えば、フランス落し３０と言われる床面に設けた凹溝内に、パネルの下部フレーム８に設けたピンを下降させ落とし込んでロックする等の機構により、床面に固定すれば、間仕切り壁全体がレール上を移動することのないようにロックすることができ、ガラスパネル２のガタツキ等を発生させないようにすることができる。
【００３５】
このようにして、移動式間仕切りの開閉によって、一つの大空間を壁３１と間仕切り壁１によって形成される複数の小空間を設けることができ、ガラスパネル２の縦辺の召し合わせ部に貼着したゴム部材４、４’によって小空間同士の音洩れを互いに防ぐことができる。
【００３６】
以上好適な実施例について述べたが、本発明はこれに限定されるものではない。
【図面の簡単な説明】
【００３７】
【図１】本発明のガラス製間仕切り壁の全体正面図。
【図２】本発明のガラス製間仕切り壁の全体平面図。
【図３】本発明のガラス製間仕切り壁の召合せゴムの横断面図。
【図４】本発明のガラス製間仕切り壁の召合せゴムの変形実施例の横断面図。
【図５】本発明のガラス製間仕切り壁の召合せゴムの別の変形実施例の横断面図。
【符号の説明】
【００３８】
１          パーティション（間仕切り壁）
２          ガラスパネル
２ｃ        凹溝部
３          レール
４、４’    召合せ部のゴム部材
４ａ        凸状嵌合部
６          吊下げ金具
７          吊下げボルト
８          下部フレーム
１０          支持金具
２０          連結プレート
３０          フランス落し
３１          壁
【図１】
2006028809.tif 000003
【図２】
2006028809.tif 000004
【図３】
2006028809.tif 000005
【図４】
2006028809.tif 000006
【図５】
2006028809.tif 000007